(57)【要約】【課題】通常のエレベーターを利用して棺を異なる階の間を移動することが容易にできる棺運搬台車を提供する。【解決手段】  下端部に車輪４を軸支し移動可能な枠状体１Ａの上端部に、棺Ｂを載置するベッド部１０を傾動可能に枢支する。又、前記ベッド部１０と前記枠状体１Ａとの間を傾動駆動手段１６により連結して形成する。【選択図】図１
2015064116.tif 000002
【特許請求の範囲】
【請求項１】
下端部に車輪を軸支し移動可能な枠状体の上端部に、棺を載置するベッド部を傾動可能に枢支した棺運搬台車。
【請求項２】
前記ベッド部と前記枠状体との間を傾動駆動手段により連結した請求項１に記載の棺運搬台車。
【請求項３】
前記枠状体は下端部のベース部と該ベース部上で昇降する昇降枠部とからなる請求項１又は請求項２に記載の棺運搬台車。
【発明の詳細な説明】
【技術分野】
【０００１】
本発明は、例えば２階の斎場より１階のエントランスへエレベーターを利用して棺を容易に運搬することが可能な棺運搬台車に関する。
【背景技術】
【０００２】
従来この種の棺運搬台車の１例として、ベッド部と、該ベッド部の側枠の前半部に上端部が傾動可能に枢着し下端に車輪を有する前脚と、前記側枠の後半部に上端部が傾動可能に枢着し下端に車輪を有する後脚とからなり、これら前脚と後脚の傾動角度を変更して固定することにより前記ベッド部の上下の位置を変更し、前記ベッド部に棺を載置して該棺を移動するようにしたものが知られている（特許文献１参照）。
【先行技術文献】
【特許文献】
【０００３】
【特許文献１】特開２００８−３６０８９号公報
【発明の概要】
【発明が解決しようとする課題】
【０００４】
しかし、この従来の棺運搬台車によると、一般の葬斎場において、１階のエントランスから２階の斎場にエレベーターを利用して棺を移動するとき、或いは２階の斎場から１階のエントランスにエレベーターを利用して棺を移動するとき、通常の寸法のエレベーターでは、棺及び棺を載置したベッド部の長さがエレベーターのケージの奥行より長いので、該通常の寸法のエレベーターのケージ内に棺運搬台車を収容できず、棺をエレベーターのケージ内に収容して移動するためには、奥行きの長いケージを有する特別なエレベーターを設置する必要があり、その設置費用がかなり大となる問題点があった。
【０００５】
本発明は、このような問題点を解消し、通常のエレベーターを利用して棺を異なる階の間を移動することが容易にできる棺運搬台車を提供することを目的とする。
【課題を解決するための手段】
【０００６】
本発明はこの目的を達成すべく、下端部に車輪を軸支して移動可能な枠状体の上端部に、棺を載置するベッド部を傾動可能に枢支した。
【発明の効果】
【０００７】
本発明によれば、例えば２階の斎場より１階のエントランス等の階の異なる場所へ通常のエレベーターを利用して棺を容易に運搬可能で、又、狭い通路であっても運搬可能な棺運搬台車を提供する効果を有する。
【図面の簡単な説明】
【０００８】
【図１】本発明の実施例１の棺運搬台車の正面図である。
【図２】該棺運搬台車の斜視図である。
【図３】該棺運搬台車の運転制御系のブロック線図である。
【図４】該棺運搬台車をエレベーターのケージ内に収容した状態を示す説明図である。
【図５】実施例１の棺運搬台車の変形例の正面図である。
【発明を実施するための形態】
【０００９】
本発明を実施するための形態の実施例を以下に示す。
【実施例１】
【００１０】
本発明の棺運搬台車の実施例１を図１乃至図４により説明する。
【００１１】
図１は本発明の実施例１の棺運搬台車の正面図、図２は該棺運搬台車の斜視図、図３は該棺運搬台車の運転制御系のブロック線図、図４は該棺運搬台車をエレベーターのケージ内に収容した状態を示す説明図である。
【００１２】
１は実施例１の棺運搬台車、１Ａは該棺運搬台車１の枠状体を示し、該枠状体１Ａは、ベース枠部２とその上方に昇降可能に設けられている昇降枠部３とからなり、該ベース枠部２は、左右の第１、第２杆部２ａ、２ｂと、これら左右の第１、第２杆部２ａ、２ｂを所定の間隔で連結する前後の第３、第４杆部２ｃ、２ｄとからなり、これら左右の第１、第２杆部２ａ、２ｂの両端部には車輪、即ち、キャスター輪４がそれぞれ軸支され、前記ベース枠部２を移動可能に形成している。なお、前記車輪には、ストッパー（図示せず）を設け、前記棺運搬台車１がむやみに移動しないようにする。
【００１３】
前記昇降枠部３は、左右の第５、第６杆部３ａ、３ｂと、これら左右の第５、第６杆部３ａ、３ｂを前方端部で連結する第７杆部３ｃと、これら左右の第５、第６杆部３ａ、３ｂを中間部で連結する第８杆部３ｄとからなり、前記ベース枠部２の左右の第１、第２杆部２ａ、２ｂに長手の溝５ａがそれぞれ形成されており、開拡自在に中心部で枢支されている一対のＸ型リンク６の一方の第１リンク部６ａの上端部が前記昇降枠部３の第５、第６杆部３ａ、３ｂにピン結合していると共に該第１リンク部６ａの下端部に設けた突起７ａが前記溝５ａに摺動自在に係合し、又、前記昇降枠部３の第５、第６杆部３ａ、３ｂに長手の溝５ｂが形成されており、前記一対のＸ型リンク６の他方の第２リンク部６ｂの上端部に設けた突起７ｂが前記溝５ｂに摺動自在に係合すると共に該第２リンク部６ｂの下端部が前記ベース枠部２の第１、第２杆部２ａ、２ｂにピン結合し、前記第４杆部２ｄに根部を固定した水平方向の第１空圧シリンダー８ａのピストンロッド８ｂの先端を、前記一対の長手の溝５ａに摺動自在に係合する突起７ａ間を連結する第１連結杆１２ａに連結した。
【００１４】
ここで、前記第１空圧シリンダー８ａ、油圧シリンダー或いは電動による伸縮手段等の伸縮駆動機構と前記一対のＸ型リンク６とにより昇降手段９が構成される。
【００１５】
１０はベッド部を示し、該ベッド部１０は、長方形の板状体１０ａからなり、該板状体１０ａの根部には係止突板１０ｂが突設されていると共に、前記昇降枠部３の第５、第６杆部３ａ、３ｂの中間部に突設した支持突片１１に傾動可能に枢支されている。なお、前記ベッド部１０の上面にローラーを設け、載置した棺が容易に移動できるようにしてもよい。
【００１６】
ここで、前記ベッド部１０は、先端部側が根部側より長くなる位置で前記支持突片１１に枢支されて重心位置が該枢支点より先端部側に位置するようにし、水平状態で該枢支点と前記第７杆部３ｃとにより支持されるようにした。
【００１７】
そして、前記昇降枠部３の第５、第６杆部３ａ、３ｂの先端部に突片１３を突設してこれら突片１３間に第２連結杆１２ｂを連結すると共に前記ベッド部１０の先端部の下面の中間位置に突片１４を突設し、前記第２連結杆１２ｂに根部を回動可能に連結した第２空圧シリンダー１５ａのピストンロッド１５ｂの先端を前記突片１４に回動可能に枢支した。
【００１８】
ここで、該第２空圧シリンダー１５ａ、油圧シリンダー或いは電動による伸縮手段等により傾動駆動手段１６が構成される。
【００１９】
図３において、１７は前記傾動駆動手段１６の第２空圧シリンダー１５ａの第１操作手段、１８は前記昇降手段９の第１空圧シリンダー８ａの第２操作手段、１９は前記ベッド部１０の先端部に装着され該先端部がエレベーターのケージＡの内側面或いは天井面に近ずいたことを検出するセンサー、２０は該センサー１９からの検出信号を入力したときに前記第１操作手段１７からの信号を遮断する禁止回路、２１は前記第１操作手段１７からの出力信号に応じて前記第２空圧シリンダー１５ｂに作動制御信号を出力する第１信号変換回路、２２は前記第２操作手段１８からの出力信号に応じて前記第１空圧シリンダー８ａに作動制御信号を出力する第２信号変換回路を示す。
【００２０】
次に本実施例１の棺運搬台車１の作用と効果を説明する。
【００２１】
例えば、告別式が終了し、２階の斎場からエレベーターを利用して霊柩車が待機している１階のエントランスに棺を移動するときには、棺運搬台車１を祭壇に安置されている棺の傍に移動して停止してから、該棺運搬台車１の第２操作手段１８を操作する。即ち、該第２操作手段１８の操作による該第２操作手段１８からの出力信号を第２信号変換回路２２に入力し、該第２信号変換回路２２において該出力信号に応じた空気圧の作動制御信号に変換し前記第１空圧シリンダー８ａに出力する。この出力信号により該第１空圧シリンダー８ａはそのロッド８ｂを所定の長さ進退し、この進退に伴って該ロッド８ｂの先端に連結している第１連結杆１２ａが長手の溝５ａに係合している突起７ａと共に前後方向に移動し、この移動によりＸ型フレーム６の開拡の角度を変更し、この変更に伴って昇降枠部３上のベッド部１０を所定の上下方向の位置にセットし、ベッド部１０上に棺Ｂを載置する。
【００２２】
尚、遺体を棺Ｂ内に安置するときに遺体をその胴体の個所や足の個所等でベルト等の手段により該棺Ｂに予め固定しておく。
【００２３】
その後、棺Ｂを載せた状態で棺運搬台車１を移動し、通常のエレベーターのケージＡ内に進入させて行く。この進入時に水平状態のベッド部１０の先端が該ケージＡの内面壁に当たるおそれがあるので、第１操作手段１７を操作し、この第１操作手段１７の操作による該第１操作手段１７からの出力信号を第１信号変換回路２１に入力し、該第１信号変換回路２１において該出力信号に応じた空気圧の作動制御信号に変換し、該作動制御信号を傾動駆動手段１６の第２空圧シリンダー１５ａに入力する。そして、この入力により該第２空圧シリンダー１５ａのロッド１５ｂが進出してベッド部１０は突片１１を支点として先端部が斜め上方になるようにして徐々に傾斜していく。このベッド部１０と棺Ｂの傾斜により該ベッド部１０の先端がエレベーターのケージＡの内側面や天井面に当たるのを避けながら棺運搬台車１が該ケージＡ内に収容されていく。
【００２４】
この棺Ｂの傾斜状態であっても、該棺Ｂがベッド部１０の係止突板１０ｂに係止して該ベッド部１０から落下することがないとともに、棺Ｂ内において遺体がベルトにより固定されて係止されている。
【００２５】
そして、図４に示す如く、ベッド部１０及び棺Ｂがかなり傾斜された状態にすることにより棺運搬台車１が通常のエレベーターのケージＡ内に収容でき、該棺運搬台車１を１階に降下し、エレベーターよりエントランスに移動できる。また、マンション等の狭い通路であっても、移動できる。
【００２６】
なお、ベッド部１０及び棺Ｂを傾斜させながらエレベーターのケージＡ内に進入させるときに、ベッド部１０の先端が該ケージの内側面や天井面に当たって該内側面や天井面を損傷するおそれがあるときには、センサー１９からの検出信号により禁止回路２０が作動して、第１操作手段１７からの出力信号が第１信号変換回路２１に入力するのを禁止し、第２空圧シリンダー１５ａの作動が停止してベッド部１０の傾動を停止する。又、同時に警告の表示或いは警告音を発する。
【００２７】
なお、前記棺運搬台車１に布等を被せて、祭壇の前に置き、告別式において、棺を載置する台として利用してもよく、この場合には、告別式の終了後、そのまま、棺を載せた前記棺運搬台車１をエレベーターまで移動するようにしてもよい。
【００２８】
又、図５に示す実施例１の棺運搬台車の変形例の如く、前記第１空圧シリンダー８ａ、溝５ａ，溝５ｂを設けずに、前記一対のＸ型リンク６の一方のリンク６ａの下端部を前記第１、第２杆部２ａ、２ｂに又他方のリンク６ｂの上端部を前記第５、第６杆部３ａ、３ｂにそれぞれ固定し、前記昇降枠部３を昇降しないようにしてもよい。又、枠状体１Ａの昇降枠部３以外の部分を、必要に応じて手動で折り畳めるようにしてもよい。
【００２９】
又、前記第２空圧シリンダー１５ａを設ける代わりに、前記突片１４に、根部を回動自在に枢支した伸縮調節可能なロッド部２３ａを有するフック２３を設けると共に、前記第７杆部３ｃの中間部に、該フック２３の先端部２３ｂが係合自在な孔２４を有する突片２５を設け、前記ベッド部１０と前記枠状体１Ａとの間に、該ベッド部１０を前記枠状体１Ａに対して、水平又は傾動可能とするロック手段を設ける。
【００３０】
ここで、前記フック２３は、そのロッド部２３ａの中間部に介挿されたナット部２３ｃを回動することにより該ロッド部２３ａの長さを調節することができるように形成されており、前記突片２５の孔２４に前記先端部２３ｂを挿入係止し、前記ロッド部２３ａの長さを縮小することにより前記先端部２３ｂが前記孔２４から抜けないようになり、前記ベッド部１０が水平に保持され、又、前記ロッド部２３ａの長さを伸長すれば前記先端部２３ｂを前記孔２４から外すことができ、前記ベッド部１０が傾動可能となる。
【００３１】
かくて、通常時では、前記フック２３の先端部２３ｂを前記孔２４に挿入係止して前記ベッド部１０を水平状態に保持し、棺運搬台車をエレベーターのケージＡ内に進入する時には、前記先端部２３ｂを前記孔２４から外して前記ベッド部１０を傾動可能にし、手で前記ベッド部１０を傾斜させて棺運搬台車をエレベーターのケージＡ内に進入し、該ケージＡを所定の階に昇降した後、棺運搬台車を該ケージＡから出したら、手で前記ベッド部１０を水平にし、前記フック２３の先端部２３ｂを前記孔２４に挿入係止して前記ベッド部１０を水平に保持する。
【００３２】
このように実施例１の変形例の棺運搬台車によれば、構造が簡単で廉価に得られる。
【産業上の利用可能性】
【００３３】
本発明の棺運搬台車は、葬祭場その他において、エレベーターを利用して階の異なる場所へ棺を移動するのに利用される。
【符号の説明】
【００３４】
１      棺運搬台車
１Ａ    枠状体
２      ベース部
３      昇降枠部
１０      ベッド部
１６      傾動駆動手段
Ｂ      棺
【図１】
2015064116.tif 000003
【図２】
2015064116.tif 000004
【図３】
2015064116.tif 000005
【図４】
2015064116.tif 000006
【図５】
2015064116.tif 000007